(57)【要約】      （修正有）【課題】畳に開口部を開く必要がなく、堀り炬燵のように楽な姿勢で座ることができ、寝たい場合にも椅子が邪魔にならない炬燵と炬燵用椅子のセットを提供する。【解決手段】線材により構成された座部を備えてなる第１の椅子６と、脚部１０１を有し座面１００が角形の第２の椅子１とを対向させて配設して、複数の椅子１、６により区画される空間Ｓ３を複数の椅子１、６の内側に設け、空間Ｓ３内部に炬燵２を配設する。【選択図】図６
0003184453.tif 000002
【実用新案登録請求の範囲】
【請求項１】
線材により構成された座部を備えてなる第１の椅子と、脚部を有し座面が角形の第２の椅子とを対向させて配設して、当該複数の椅子により区画される空間を当該複数の椅子の内側に設け、当該空間内部に炬燵を配設できるようにしてなることを特徴とする炬燵と炬燵用椅子のセット。
【請求項２】
線材が、金属製材料よりなり、当該金属製材料を折曲げて座部を備えてなる第１の椅子を形成してなることを特徴とする、請求項１に記載の炬燵と炬燵用椅子のセット。
【請求項３】
第２の椅子が、３角形の座面を有してなることを特徴とする、請求項１−２いずれか１項に記載の炬燵と炬燵用椅子のセット。
【請求項４】
複数の椅子により区画される空間が、四角形状の空間であることを特徴とする、請求項１−３いずれか１項に記載の炬燵と炬燵用椅子のセット。
【請求項５】
第１の椅子が、本体部と一方の本体掛け部と他方の本体掛け部とを有してなることを特徴とする、請求項１−４いずれか１項に記載の炬燵と炬燵用椅子のセット。
【請求項６】
第１の椅子の本体部が、上部が開放されたＵ字状部と、当該Ｕ字状部から地面と平行に設けられた天井部とを有してなることを特徴とする、請求項５に記載の炬燵と炬燵用椅子のセット。
【請求項７】
第１の椅子の一方の本体掛け部が、第１の椅子の本体部のＵ字状部の底部に隣接した位置に設けられた脚足部と、当該脚足部の上に立脚垂設され当該本体部のＵ字状部の底部に掛設された脚部と、当該本体部の天井部の上部に設けられた半円形状部とを有してなることを特徴とする、請求項５に記載の炬燵と炬燵用椅子のセット。
【請求項８】
第１の椅子の他方の本体掛け部が、第１の椅子の本体部のＵ字状部の底部に隣接した位置に設けられた脚足部と、当該脚足部の上に立脚垂設された脚部と、当該本体部の天井部の上部に設けられた半円状形部とを有してなることを特徴とする、請求項５に記載の炬燵と炬燵用椅子のセット。
【考案の詳細な説明】
【技術分野】
【０００１】
本考案は、炬燵と炬燵用椅子のセットに関する。
【背景技術】
【０００２】
電気炬燵は、通常は、椅子が備えられていないので、掘り炬燵などのようには、座れない。脚部を有しない座面と背もたれとを備えた座椅子を使用して座ることができるが、座椅子は、腰が痛くなりやすく、掘り炬燵のような楽な姿勢で座ることができない。
掘り炬燵は、楽な姿勢で暖をとれるので、便利に使用されてはいるが、畳に開口部を開けたりして、その工事費用に多大の費用を要することが多い。
又、掘り炬燵は、通常、図１５に示すように、居間の中央部に設置されることが多く、その為、掘り炬燵Ｈにより、その居間の多くの空間を占拠してしまうことになる。ワンル−ムマンション等の場合には、掘り炬燵Ｈの設置が部屋の空間を多大に占拠してしまうので、掘り炬燵を設置したくても躊躇してしまうことが多い。
本考案者は、先に、脚部を有し座面が角形の複数の椅子、特に、脚部を有し座面が三角形状の４個の椅子を配設して、当該４個の椅子により区画される四角形状の空間を当該４個の椅子の内側に設け、当該四角形状の空間に炬燵を配設できるようにしてなる炬燵用椅子配設構造（炬燵用椅子のセット）を提案した（実願２０１３−００７９０）。
当該考案では、図９、図１０、図１１、図１２（Ａ）及び（Ｂ）に示すように、座面１００が三角形状の４個の椅子１を配設して、当該椅子１により区画される四角形状の空間Ｓを当該椅子１の内側に設ける。
当該椅子１は、座面１００が三角形状で、例えば、図示例のように、２等辺三角形により形成される。当該座面１００を有する座板は、例えば、木材により形成される。
椅子１は脚部１０１を有し、当該脚部１０１は、図示例のように、各椅子１の各コ−ナ−部の３箇所と三角形の長辺の中央に１カ所立設される。
図１１及び図１２（Ｂ）に示されるように、当該４個の椅子１により区画して、四角形状の空間Ｓを当該椅子１の内側に設ける。
当該空間Ｓ内部には、炬燵２例えば電気炬燵を配設できる。
電気炬燵２は、例えば、図１１に示すような炬燵２が配設できる。当該電気炬燵２は、天面（天板）２００が四角形状で、当該天面２００の下部の各コ−ナ−部４カ所に脚部２０１が立設されている。
当該天面２００の裏面には、発熱部２０２が設けられ、当該発熱部２０２とスイッチ部２０３とは電気コ−ド２０４により電気的に接続され、当該スイッチ部２０３をスイッチオンすることにより、当該発熱部２０２は電気的に発熱するようになっている。
【０００３】
図１１に示すように、当該電気炬燵２を、上記の座面１００が三角形状の４個の椅子１により区画形成した四角形状の空間Ｓに配設する。
【０００４】
図１１に示すように、当該椅子１の内側の電気炬燵２を中心として、その周囲に当該椅子１が配設される。
【０００５】
図１１に示すように、当該空間Ｓ内部には、上記のような常用されている電気炬燵２を配設することができ、当該椅子１の平らな三角座面１００に座れば掘り炬燵のような使用が可能である。掘り炬燵の形態に近くなるので、座椅子の使用のような場合の腰が痛くなり易くなることがなく、掘り炬燵のような楽な姿勢で座ることができる。
掘り炬燵の設置の場合のような畳に開口部を開けたりしなくて済むので、工事費用に多大の費用を要することがなく、座面が三角形状の４個の椅子１を配設して当該椅子１により区画される四角形状の空間Ｓを当該椅子１の内側に設け、当該空間Ｓ内部に、通常、数多く売られている市販の四角形状の電気炬燵２を配設すれば掘り炬燵様の炬燵が形成でき、工事費がかからない。
【０００６】
当該考案の炬燵用椅子配設構造によれば、狭い空間での掘り炬燵様の炬燵の施工が可能であり、それにも増して、上記の椅子１が、移動可能に構成されてなると、より一層、面積をより一層狭めることができる。
図１２は、その図示例を示し、同図に示すように、例えば、一隅の椅子１を、例えば、電気炬燵内部に移動すれば、全体で占める面積をより一層狭めることができる。椅子１には、例えば、脚部の端部にキャスタ−を取付け移動可能にすることができる。
【０００７】
当該考案によれば、図１３に示すように、掘り炬燵様の炬燵を形成できる。
図１３に示すように、前記のような天面２００の裏面に発熱部（発熱源）２０２が設けられた電気炬燵２を配設し、それに加えて、炬燵下部ボックス３にも発熱部４を備えさせると、より暖かい炬燵が形成できる。
炬燵は、図１３に示すように、当該電気炬燵の天面に掛け布団５を掛ければよい。
又、上記のように、当該考案によれば、椅子１の下部を物の収納に便利に使用し得る。
【０００８】
当該考案によれば、その構造上、狭い空間でも場所を取らずに炬燵２を配設でき、建物の隅部（コ−ナ−）Ｃを利用して設置することができ、その為、ワンル−ムマンション等のような狭い空間の建物でも、掘り炬燵様の炬燵の施工が可能で、従来例のような居間の中央部に設置して、その居間の多くの空間を占拠してしまうようなことがない。
図１４は、１ｋのワンル−ムマンションの配置例図である。
当該考案によれば、例えば、図１４に示すように、キッチンＫに隣り合わせの居間（畳敷）の隅部（コ−ナ−部）Ｃに掘り炬燵様の炬燵を設置することができる。  隅部（コ−ナ−部）Ｃのような狭い空間でも、少ない面積で掘り炬燵を施工でき、冬季には、勿論、掘り炬燵として使用可能で、夏季には、椅子１を有するテ−ブルとしても使用可能で、且つ、椅子１の下部を物の収納にも便利に使用可能となすことができる。
当該考案の炬燵用椅子のセット（炬燵用椅子配設構造）は、座椅子を使用する電気炬燵とは異なる。座椅子を使用する電気炬燵においては、脚部を有しない座面と背もたれとを備えた座椅子を使用するが、本考案では、背もたれを備えていない脚部を有する椅子に座って、上記のように、掘り炬燵様に使用する点、電気炬燵とは異なる。
又、テ−ブルを使用するテ−ブル炬燵とも異なる。テ−ブル炬燵の椅子は、脚部がある点では、当該考案と共通するが、テ−ブル炬燵の椅子は、背もたれを有するのに対して、本考案では、椅子に背もたれを有しない点で異なる。当該考案では、椅子に背もたれを有しないので、テ−ブル炬燵の椅子のように背もたれが邪魔になることがなく、空間内部に配設した電気炬燵の内部に、椅子を移動させることができ、椅子の下部を物の収納に使用し得る。
当該考案の実施例において、仮に、図１６（Ａ）に示すように、四角形状の椅子Ｃにより、四角形状の空間Ｓを形成して、当該空間Ｓ内部に四角形状の電気炬燵を配設するとすると、図示の四隅Ｗが無駄になる。又、図１６（Ｂ）に示すように、円形内部に四角形状の空間Ｓを形成して、当該空間Ｓ内部に四角形状の電気炬燵を配設するとすると、電気炬燵の円周全部が必要となる。
当該考案では、図１０（Ａ）及び（Ｂ）に示すように、四隅が無駄になることがなく、又、円周全部を要しない。
しかし、当該考案では、４個の椅子１を配設しているので、人が当該炬燵に寝たいような場合には、椅子が邪魔になって寝ることが難しい。
椅子を移動可能にして、取り去ることもできるが、前記のように、電気炬燵の天面に掛け布団５を掛けるような場合には、当該掛け布団がその箇所で垂れ下がってしまったりする。
【先行技術文献】
【特許文献】
【０００９】
【特許文献１】実開平３−６１２５６号公報、特開平２−６１２５６号公報、特開２０００−３０００２９号公報、実開平３−６７９０１号公報
【考案の開示】
【考案が解決しようとする課題】
【００１０】
本考案は、上記先行技術の有する優れた作用効果を踏まえつつ、上記欠点を解消することができる新規な技術を提供することを目的としたものである。
本考案の他の目的や新規な特徴については本件明細書及び図面の記載からも明らかになるであろう。
【課題を解決するための手段】
【００１１】
本考案は、請求項１に記載のように、線材により構成された座部を備えてなる第１の椅子と、脚部を有し座面が角形の第２の椅子とを対向させて配設して、当該複数の椅子により区画される空間を当該複数の椅子の内側に設け、当該空間内部に炬燵を配設できるようにしてなることを特徴とする炬燵と炬燵用椅子のセットに関するものである。
本考案の好ましい実施態様は、請求項２に記載のように、上記の線材が、金属製材料よりなり、当該金属製材料を折曲げて座部を備えてなる第１の椅子を形成してなることを特徴とするものである。
本考案の好ましい実施態様は、請求項３に記載のように、第２の椅子が、３角形の座面を有してなることを特徴とするものである。
本考案の好ましい実施態様は、請求項４に記載のように、複数の椅子により区画される空間が、四角形状の空間であることを特徴とする
本考案の好ましい実施態様は、請求項５に記載のように、第１の椅子が、本体部と一方の本体掛け部と他方の本体掛け部とを有してなることを特徴とするものである。
本考案の好ましい実施態様は、請求項６に記載のように、第１の椅子の本体部が、上部が開放されたＵ字状部と、当該Ｕ字状部から地面と平行に設けられた天井部とを有してなることを特徴とするものである。
本考案の好ましい実施態様は、請求項７に記載のように、第１の椅子の一方の本体掛け部が、第１の椅子の本体部のＵ字状部の底部に隣接した位置に設けられた脚足部と、当該脚足部の上に立脚垂設され当該本体部のＵ字状部の底部に掛設された脚部と、当該本体部の天井部の上部に設けられた半円形状部とを有してなることを特徴とするものである。
本考案の好ましい実施態様は、請求項８に記載のように、第１の椅子の他方の本体掛け部が、第１の椅子の本体部のＵ字状部の底部に隣接した位置に設けられた脚足部と、当該脚足部の上に立脚垂設された脚部と、当該本体部の天井部の上部に設けられた半円状形部とを有してなることを特徴とするものである。
【考案の効果】
【００１２】
本考案によれば、請求項１に記載のような構成を採用することにより、上記先行技術の有する優れた作用効果を踏まえつつ、人が当該炬燵に寝たいような場合にも、椅子が邪魔になって寝ることが難しい点を解消でき、又、電気炬燵の天面に掛け布団を掛けるような場合に、当該掛け布団がその箇所で垂れ下がってしまったりすることを解消することができる。
即ち、本考案では、線材により構成された座部を備えてなる第１の椅子と、脚部を有し座面が角形の第２の椅子とを対向させて配設して、当該複数の椅子により区画される空間を当該複数の椅子の内側に設け、当該空間内部に炬燵を配設して、当該第１の椅子の座面に座れば、掘り炬燵のような使用が可能で、掘り炬燵の形態に近くなるので、脚部を有しない座椅子の使用のような場合の腰が痛くなり易くなることがなく、掘り炬燵のような楽な姿勢で座ることができ、掘り炬燵の設置の場合のような畳に開口部を開けたりしなくて済むので、工事費用に多大の費用を要することがなく、座面が角形の複数個の椅子を配設して当該複数個の椅子により区画される空間を当該椅子の内側に設け、当該空間内部に、市販の電気炬燵を配設すれば、掘り炬燵様の炬燵が形成でき、工事費がかからない。
本考案では、建物の隅部（コ−ナ−）を利用して設置することができ、従来例のような居間の中央部に設置する必要がないので、ワンル−ムマンション等のような狭い空間の建物でも、掘り炬燵様の炬燵の施工が可能で、従来例のような居間の中央部に設置して、その居間の多くの空間を占拠してしまうようなことがない。又、本考案によれば、椅子の下部を物の収納に便利に使用し得る。
【００１３】
本考案によれば、請求項２に記載のような構成を採用することにより、上記先行技術の有する優れた作用効果及び上記請求項１による優れた作用効果を踏まえつつ、線材が、金属製材料よりなり、当該金属製材料を折曲げて座部を備えてなる第１の椅子を形成することにより、簡易に第１の椅子を形成することができる。
【００１４】
本考案によれば、請求項３に記載のような構成を採用することにより、上記先行技術の有する優れた作用効果及び上記請求項１による優れた作用効果を踏まえつつ、第２の椅子が、３角形の座面を有してなることにより、四角形状の空間の形成が容易になり、又、四角形状の電気炬燵を当該空間内部に良好に配することができる。
【００１５】
本考案によれば、請求項４に記載のような構成を採用することにより、上記先行技術の有する優れた作用効果及び上記請求項１による優れた作用効果を踏まえつつ、複数の椅子により区画される空間が、四角形状の空間であることにより、四角形状の電気炬燵を当該空間内部に配することができる。
【００１６】
本考案によれば、請求項５に記載のような構成を採用することにより、上記先行技術の有する優れた作用効果及び上記請求項１による優れた作用効果を踏まえつつ、第１の椅子が、本体部と一方の本体掛け部と他方の本体掛け部とを有してなることを特徴とすることにより、線材による第１の椅子の形成が容易になり、特に、第１の椅子の座部の形成が容易になる。
【００１７】
本考案によれば、請求項６に記載のような構成を採用することにより、上記先行技術の有する優れた作用効果及び上記請求項１による優れた作用効果を踏まえつつ、第１の椅子の本体部が、上部が開放されたＵ字状部と、当該Ｕ字状部から地面と平行に設けられた天井部とを有してなることにより、線材による第１の椅子の形成が容易になり、特に、第１の椅子の座部の形成が容易になる。
【００１８】
本考案によれば、請求項７に記載のような構成を採用することにより、上記先行技術の有する優れた作用効果及び上記請求項１による優れた作用効果を踏まえつつ、第１の椅子の一方の本体掛け部が、第１の椅子の本体部のＵ字状部の底部に隣接した位置に設けられた脚足部と、当該脚足部の上に立脚垂設され当該本体部のＵ字状部の底部に掛設された脚部と、当該本体部の天井部の上部に設けられた半円形状部とを有してなることにより、線材による第１の椅子の形成が容易になり、特に、第１の椅子の座部の形成が容易になる。
【００１９】
本考案によれば、請求項７に記載のような構成を採用することにより、上記先行技術の有する優れた作用効果及び上記請求項１による優れた作用効果を踏まえつつ、他方の本体掛け部が、第１の椅子の本体部のＵ字状部の底部に隣接した位置に設けられた脚足部と、当該脚足部の上に立脚垂設された脚部と、当該本体部の天井部の上部に設けられた半円状形部とを有してなることを特徴とすることにより、線材による第１の椅子の形成が容易になり、特に、第１の椅子の座部の形成が容易になる。
【考案を実施するための最良の形態】
【００２０】
次に、本考案の実施例を図面を参照しつつ説明する。
【実施例】
【００２１】
図１、図２及び図３に示すような第１の椅子６を形成する。当該第１の椅子６は、座部６００を備えてなる。
当該第１の椅子６は、線材により、座部６００を備えてなるように形成する。
当該線材には、可撓性で折曲げて座部６００を備えてなる第１の椅子６を形成できるような材料が使用される。
当該線材は、例えば、金属製管、合成樹脂が被覆された金属製材料又は合成樹脂管等が使用でき、可撓性の折曲げて、座部６００を備えてなる第１の椅子６を形成できると共に、椅子としての強度を備えてなることが必要である。樹脂の成形加工やプレス加工などの方法によってもよい。
当該第１の椅子６は、図１に示すように、本体部６Ａと一方の本体掛け部６Ｂと他方の本体掛け部６Ｃとを有してなる。
【００２２】
当該本体部６Ａは、上端部６０１と、当該上端部６０１から延設され上部が開放されたＵ字状部６０２と、当該Ｕ字状部６０２から地面と平行に設けられた天井部６０３とを有してなり、当該天井部６０３の中心を境として左右対称に、当該上端部６０１から延設され上部が開放されたＵ字状部６０２と、当該Ｕ字状部６０２から地面と平行に設けられた天井部６０３とが配設されて、図１、図２及び図３に示すように、当該第１の椅子６が形成されている。
【００２３】
一方の本体掛け部６Ｂは、図１、図２及び図３に示すように、上記の本体部６ＡのＵ字状部６０２の内側底部に隣接した位置に設けられた脚足部６０４と、当該脚足部６０４の上に立脚垂設され上記の本体部６ＡのＵ字状部６０２の底部に掛設された脚部６０５と、当該脚部６０５から延設され上部が開放されたＵ字状部６０２に掛設された斜行部６０６と、当該斜行部６０６から延設垂設された立脚部６０７と、当該立脚部６０７から延設され上記の本体部６Ａの天井部６０３の上部に設けられた半円形状部６０８を有してなる。当該半円形状部６０８は、その一端が当該立脚部６０７に連設され、その他端が、当該本体部６Ａの天井部６０３の上部に載設されている。
図１、図２及び図３に示すように、当該半円状部６０６８と当該本体部６Ａの天井部６０３との間には、半円形状の空間Ｓ１が設けられている。
【００２４】
他方の本体掛け部６Ｃは、図１、図２及び図３に示すように、上記の本体部６Ａの他方のＵ字状部６０２の内側底部に隣接した位置に設けられた脚足部６０９と、当該脚足部６０９の上に立脚垂設された脚部６１０と、当該脚部６１０から延設され前記Ｕ字状部６０２に掛設された曲線部６１１と、当該曲線部６１１から延設され上記の本体部６Ａの天井部６０３の上部に設けられた半円状形部６１２を有してなる。
当該曲線部６１１は、図示のように、当該本体部６ＡのＵ字状部６０２に対して３カ所で折り曲げ掛設されている。
当該半円状形部６１２は、その一端部が上記の本体部６Ａの天井部６０３の上部に載設されていると共に、他方の一端部が上記の本体部６Ａの天井部６０３の上部に載設されている。
図１に示すように、当該半円形状部６１２と当該本体部６Ａの天井部６０３との間には、半円形状の空間Ｓ２が設けられている。
【００２５】
図１、図２及び図３に示すように、第１の椅子６は、当該実施例では、２個の脚足部６０４，６０９を備え、一方の本体掛け部６Ｂの１個の脚足部と、他方の本体掛け部６Ｃの１個の脚足部とで構成されている。
当該脚足部は、例えば、四角形状の直方体に構成される。
図１、図２及び図３に示すように、第１の椅子６は、当該実施例では、２個の脚部を備え、一方の本体掛け部６Ｂの１個の脚部６０５と、他方の本体掛け部６Ｃの１個の脚部６１０とで構成されている。
第１の椅子６は、当該本体部６Ａの天井部６０３の上に載設された一方の本体掛け部６Ａの半円形状部６０８と当該本体部６Ａの天井部６０３の上に載設された他方の本体掛け部６Ｃの半円形状部６１２とを備えて座部６００を構成することができる。当該座部６００は、本体部６Ａの直線状の天井部６０３を含めることができる。
又、当該第１の椅子６の当該座部６００は、当該本体部６Ａの天井部６０３の上に載設された一方の本体掛け部６Ａの半円形状の空間Ｓ１と、当該本体部６Ａの天井部６０３の上に載設された他方の本体掛け部６Ｃの半円形状の空間Ｓ２とを有して構成される。
当該座部６００の下部には、空間があり、後述のように、当該第１の椅子６の当該座部６００の下部には、人が寝ることができる。
又、従来のように、各椅子１の各コ−ナ−部の３箇所と三角形の長辺の中央に１カ所立設された脚部１０１を有する椅子１を４個使用する場合には、人が炬燵に寝たいような場合には、当該椅子１の脚部１０１の一部が邪魔になって寝ることが難しい。椅子１の三角形の長辺の中央に立設された脚部１０１を取り除くと、椅子が不安定になり易い。
椅子１を移動可能にして、取り去ることもできるが、電気炬燵の天面に掛け布団５を掛けるような場合には、当該掛け布団がその箇所で垂れ下がってしまったりするが、第１の椅子６を配することにより、その箇所での垂れ下がりを防止できる。
【００２６】
図４に示すように、第１の椅子６の座部６００には、例えば円形の座板６０００を載置して座部とすることができる。
【００２７】
当該第１の椅子６は、前記の脚部を有し座面が角形の複数の椅子（第２の椅子）１と組み合わせて使用される。
前記実施例では、図９、図１０、図１１、図１２（Ａ）及び（Ｂ）に示すように、座面１００が三角形状の４個の第２の椅子１を配設して、当該第２の椅子により区画される四角形状の空間Ｓを当該第２の椅子１の内側に設け、当該空間Ｓ内部に、炬燵２例えば電気炬燵を配設したが、当該対向する一方の第２の椅子１の２個を、上記の第１の椅子６に置換して、当該座部と脚部と脚足部とを備えてなる第１の椅子６と脚部を有し座面が角形の第２の椅子１とを対向させて配設して当該第１の椅子６及び第２の椅子１により区画される空間Ｓ３をこれら複数の椅子１および２の内側に設け、当該空間Ｓ３内部に炬燵を配設できるようにする。
【００２８】
図５は、その一例を示し、当該座部と脚部と脚足部とを備えてなる第１の椅子６と脚部を有し座面が角形の第２の椅子１とを対向させて配設して当該第１の椅子６及び第２の椅子１により区画される空間Ｓ３をこれら複数の椅子１および２の内側に設け、当該空間Ｓ３内部に炬燵を配設できるようにする。
【００２９】
図６に示すように、当該第１の椅子６及び第２の椅子１により区画される空間Ｓ３内部には、前記と同様の炬燵例えば電気炬燵２が配設される。
当該座部と脚部と脚足部とを備えてなる第１の椅子６と脚部を有し座面が角形の第２の椅子１とは、使用に際しては、図６に示すように、連結して、当該第１の椅子６と第２の椅子１とが離れないようにする。当該連結は、例えば、第１の椅子６のＵ字状部６０２と第２の椅子１の脚部１０１とを連結具で連結する等の方法を採ることができる。
【００３０】
図７に示すように、対向する一方の第２の椅子１の２個を、上記の第１の椅子６に置換して、当該座部と脚部と脚足部とを備えてなる第１の椅子６と脚部を有し座面が角形の第２の椅子１とを対向させて配設して当該第１の椅子６及び第２の椅子１により区画される空間Ｓ３をこれら複数の椅子１および２の内側に設け、当該空間Ｓ３内部に炬燵２を配設できるようにする。
図７及び図８に示すように、当該対向する第１の椅子６の内側の２本の脚部の内側には、人が寝ることができる。
【００３１】
本考案は上記実施例に限定されず、適宜変更が可能である。本考案では、第２の椅子１について先行考案を適用できる。
【産業上の利用可能性】
【００３２】
本考案は、各種の炬燵に適用することができる。堀炬燵用の座卓を前記空間に配設することもできる。
【図面の簡単な説明】
【００３３】
【図１】本考案の実施例を示す椅子（第１の椅子）の斜視図である。
【図２】本考案の実施例を示す椅子（第１の椅子）の平面図である。
【図３】本考案の実施例を示す椅子（第１の椅子）の正面図である。
【図４】本考案の実施例を示す椅子（第１の椅子）の使用例説明図である。
【図５】本考案の実施例を示す第１の椅子及び第２の椅子の配設構造の立面図である。
【図６】本考案の実施例を示す第１の椅子及び第２の椅子並びに炬燵の配設構造立面図である。
【図７】（Ａ）及び（Ｂ）それぞれ本考案の実施例を示す炬燵用椅子配設構造の説明図である。
【図８】本考案の使用例を示す説明図である。
【図９】従来例の炬燵用椅子配設構造の説明図である。
【図１０】従来例の炬燵用椅子配設構造の説明図である。
【図１１】従来例の炬燵用椅子配設構造の説明図である。
【図１２】従来例の炬燵用椅子配設構造の説明図である。
【図１３】従来例の実施例を示す断面図である。
【図１４】建物の構成図である。
【図１５】従来例の炬燵の配置図である。
【図１６】（Ａ）及び（Ｂ）それぞれ炬燵用椅子配設構造における作用効果の説明図である。
【００３４】
１    椅子（第２の椅子）
２    炬燵
３    下部ボックス
４    発熱部
５    掛け布団
６    椅子（第１の椅子）
６Ａ    第１の椅子の本体部
６Ｂ    第１の椅子の一方の本体掛け部
６Ｃ    第１の椅子の他方の本体掛け部
１００    第２の椅子の座面
１０１    第２の椅子の脚部
６００    第１の椅子の座部
６０１    第１の椅子の上端部
６０２    第１の椅子のＵ字状部
６０３    第１の椅子の本体部の天井部
６０８    第１の椅子の一方の本体掛け部の半円形状部
６１２    第１の椅子の他方の本体掛け部の半円形状部
【図１】
0003184453.tif 000003
【図２】
0003184453.tif 000004
【図３】
0003184453.tif 000005
【図４】
0003184453.tif 000006
【図５】
0003184453.tif 000007
【図６】
0003184453.tif 000008
【図７】
0003184453.tif 000009
【図８】
0003184453.tif 000010
【図９】
0003184453.tif 000011
【図１０】
0003184453.tif 000012
【図１１】
0003184453.tif 000013
【図１２】
0003184453.tif 000014
【図１３】
0003184453.tif 000015
【図１４】
0003184453.tif 000016
【図１５】
0003184453.tif 000017
【図１６】
0003184453.tif 000018